(57)【特許請求の範囲】
【請求項１】
クリーニングカードと、このクリーニングカードを保持するホルダーとからなるカード搬送ベルト用クリーナであって、前記ホルダーを略平板状に形成し、このホルダーの一端縁に、カード処理装置のカード挿入口の開口縁と当接するカード挿入方向規制用当接部と、カード処理装置のカード搬送路の側部と係合するカード幅方向規制用係合部とを設け、かつホルダーの表面に、カード挿入方向と直交する方向に並設された一対の突起と、この突起に近接してクリーニングカードの厚み方向の移動を規制する抜け止め片を一体に設け、前記クリーニングカードに前記突起に係入される係入孔をカード挿入方向に複数対設けたことを特徴とするカード搬送ベルト用クリーナ。
【請求項２】
請求項１記載のカード搬送ベルト用クリーナにおいて、前記クリーニングカードの係入孔をカード挿入方向の両端部に設けたことを特徴とするカード搬送ベルト用クリーナ。
【発明の詳細な説明】
【０００１】
【発明の属する技術分野】
本発明は、カード処理装置のカード搬送ベルトをクリーニングカードによってクリーニングするためのカード搬送ベルト用クリーナに関する。
【０００２】
【従来の技術】
この種のクリーニングカードは、カード処理装置に挿入されると搬送ローラによって取り込まれ、クリーニング部が搬送ローラに対接した位置に位置付けられると、カードの当接部がカード挿入口の開口縁に当接し挿入が停止され、その停止位置で搬送ベルトの汚れをクリーニング部でクリーニングするようにしていた。このように常に、クリーニング部の同じ部位で搬送ベルトをクリーニングしていたために、耐用回数が少なく、耐用回数の増加が望まれていた。
【０００３】
この要望に応えるものとして、本出願人が提案した実用新案登録第２５４０４２９号公報に記載した考案がある。ここに提案されたものは、先端部に設けたクリーニング部と、カード処理装置に挿入した際にカード処理装置の当接部に当接しカードの挿入停止位置を決める当接部とを備えたクリーニングカードであって、当接部がカード挿入方向に対して段階的に除去可能な除去片で形成されている。したがって、クリーニング部の汚れの程度を見ながら、当接部の除去片を段階的に除去することにより、クリーニング部全体にわたって活用することができ、このためクリーニングカードの耐用回数が増加する。
【０００４】
また、別に提案されたものとして、特開平９−７１２８号公報に開示したものがある。ここに開示されているものには、クリーニングカードの表面にカード挿入方向に沿って複数対の係入孔が設けられているとともに、これら係入孔に対応してクリーニング部が複数設けられ、かつこれら係入孔に着脱自在に取り付けられ、カード処理装置のカード挿入口の開口縁に当接するストッパが備えられている。したがって、クリーニング部の汚れの程度を見ながら、ストッパの位置を変えることにより、複数のクリーニング部を順次活用することができるため、クリーニングカードの耐用回数が増加する。
【０００５】
【発明が解決しようとする課題】
しかしながら、上述した従来のクリーニングカードのいずれにおいても、クリーニングカードをカード処理装置のカード挿入口に挿入するときに、可撓性を有するクリーニングカード自体を手で把持しなければならないために、挿入しずらく作業性が悪いという問題があった。また、クリーニング部または係止部を段階的に除去するために、除去するためのはさみ等の用具が必要になり、使い勝手が悪かった。また、クリーニングを行うために、クリーニングカードを所定位置に停止させるのに、可撓性を有し、かつ厚みの小さいクリーニングカード自体の当接部によって行う構造としているので、クリーニング時にカードが停止状態で安定しないことがあり、このためクリーニングが充分に行われないという問題もあった。
【０００６】
本発明は上記した従来の問題に鑑みなされたものであり、第１の目的は作業性の向上を図ることにある。第２の目的は使い勝手の向上を図るということにあり、第３の目的はクリーニングを確実に行うことにある。
【０００７】
【課題を解決するための手段】
この目的を達成するために、請求項１記載の発明は、クリーニングカードと、このクリーニングカードを保持するホルダーとからなるカード搬送ベルト用クリーナであって、前記ホルダーを略平板状に形成し、このホルダーの一端縁に、カード処理装置のカード挿入口の開口縁と当接するカード挿入方向規制用当接部と、カード処理装置のカード搬送路の側部と係合するカード幅方向規制用係合部とを設け、かつホルダーの表面に、カード挿入方向と直交する方向に並設された一対の突起と、この突起に近接してクリーニングカードの厚み方向の移動を規制する抜け止め片を一体に設け、前記クリーニングカードに前記突起に係入される係入孔をカード挿入方向に複数対設ける。
したがって、カード挿入方向規制用当接部と、カード幅方向規制用係合部とによって、カード処理装置内に挿入されたクリーニングカードの停止位置が固定される。また、クリーニングカードをカード処理装置内に挿入する際には、ホルダーを手で把持して行う。ホルダーの突起に対して、クリーニングカードの複数対の係入孔を選択的に係入することにより、クリーニングの部位を変えることができる。
また、請求項２に係る発明は、請求項１に係る発明において、前記クリーニングカードの係入孔をカード挿入方向の両端部に設ける。
したがって、クリーニングカードの前後を反転させて使用することができる。
【０００８】
【発明の実施の形態】
以下、本発明の実施の形態を図に基づいて説明する。図１は本発明に係るカード搬送ベルト用クリーナを使用している状態を示す平面図、図２は同じく側面図、図３（ａ）は同じくホルダーの平面図、同図（ｂ）は同図（ａ）における III（ｂ）-III（ｂ）線断面図、同図（ｃ）は同図（ａ）におけるIII（ｃ）-III （ｃ）線断面図、図４は同じくクリーニングカードの平面図である。
【０００９】
図１および図２において、全体を符号１で示すカード処理装置には、ロアーケース（図示せず）の上板２、アッパーケース（図示せず）の底板３および対向する両側部４ａ，４ｂとによって、カード挿入用の開口６が設けられたカード搬送路５が備えられている。開口６の開口縁６ａ，６ａは両側部４ａ，４ｂと直交するように延設されている。７は図示を省略したモータを駆動源として回転駆動される駆動ローラ、８は回転自在な従動ローラであって、これら両ローラ７，８間にはカード搬送ベルト９が張架され、このカード搬送ベルト９は、底板３に設けられた窓（図示せず）からカード搬送路５内に臨んでいる。
【００１０】
１０は回転自在なピンチローラであって、上板２の窓（図示せず）からカード搬送路５内に臨み、駆動ローラ７および従動ローラ８にそれぞれ対接している。上板２には矩形状の切欠き１１が設けられ、この切欠き１１内には、上端がカード搬送路５内に臨んでいる磁気ヘッド１２が設けられている。
【００１１】
このような構成のカード処理装置１においては、開口６からカード搬送路５内に図示を省略した磁気カードが挿入されると、モータが正方向に駆動し、駆動ローラ７が図２中反時計方向に回転駆動することによって、カード搬送ベルト９も追従して走行しカードを矢印Ａ方向に搬送する。カードが磁気ヘッド１２上を通過することによりカードの磁気データが磁気ヘッド１２によって処理される。
【００１２】
処理が終了すると、モータが逆方向に駆動し、駆動ローラ７が図２中時計方向に回転駆動することによって、カード搬送ベルト９も追従して走行しカードを矢印Ａ方向と反対に搬送し、カードが開口６から返却される。以上説明したカード処理装置１は、従来から広く知られているカード処理装置と格別変わるところはない。
【００１３】
次に、図１、図３、図４を用いて本発明の特徴であるカード搬送ベルト用クリーナについて説明する。
図１において、カード搬送ベルト用クリーナ１５は、上述したカード処理装置１のカード搬送ベルト９をクリーニングするクリーニングカード３０と、このクリーニングカード３０を保持するホルダー２０とによって構成されている。
【００１４】
図３において、ホルダー２０は、略長方形の平板状に形成され、このホルダー２０の前端縁２１はカード処理装置１の開口縁６ａに当接させることによって、カード搬送路５内に挿入されたクリーニングカード３０の挿入方向の移動を規制するカード挿入方向規制用当接部を形成している。このカード挿入方向規制用当接部２１の下端には、凸部２２が突設され、この凸部２２の前端面２３もカード処理装置１の開口縁６ａに当接するカード挿入方向規制用当接部を形成している。２４はカード挿入方向規制用当接部２１からカード挿入方向（図中矢印Ａ方向）に突設され、カード搬送路５内に挿入されたクリーニングカード３０の幅方向の移動を規制するカード幅方向規制用係合部であって、カード処理装置１のカード搬送路５の側部４ａに係合する。
【００１５】
ホルダー２０の表面には、カード挿入方向と直交する方向に並設された一対の長方形の貫通孔２５，２５が設けられ、これら貫通孔２５，２５のカード挿入方向の端部には、断面が長円の一対の突起２６，２６が間隔Ｄ１だけ隔てて突設されている。これら突起２６，２６に近接してホルダー２０の表面には、クリーニングカード３０の厚み方向の移動を規制する断面がＬ字状の一対の抜け止め片２７，２７が、貫通孔２５，２５を覆うように突設されている。これら抜け止め片２７，２７とホルダー２０の表面との間には、クリーニングカード３０の厚みと略同じ高さの隙間が設けられている。一対の貫通孔２５，２５の間には、指を挿入できる挿入孔２８が設けられている。
【００１６】
図４において、クリーニングカード３０は略長方形に形成され、表裏の全体にクリーニング部が形成されており、長手方向の両端部のそれぞれには、三対の長円の係入孔３１ａ，３１ｂ，３１ｃおよび係入孔３２ａ，３２ｂ，３２ｃが設けられている。これら係入孔３１ｃ，３１ｃ間の間隔および係入孔３２ｃ，３２ｃ間の間隔は、共に長さＤ２に形成され、上述したホルダー２０の突起２６，２６間の間隔Ｄ１と同一に形成されている。これら係入孔３１ａ，３１ｂ，３１ｃおよび係入孔３２ａ，３２ｂ，３２ｃのうちのいずれか一対の係入孔が、突起２６，２６に係入可能となっている。そして、係入させることにより、図１に示すように、クリーニングカード３０がホルダー２０のカード挿入方向規制用当接部２１と直交し、このカード挿入方向規制用当接部２１から突設するようにホルダー２０に取り付けられる。
【００１７】
次に、このような構成のカード搬送ベルト用クリーナ１５によるクリーニングの方法を説明する。
図１に示すように、クリーニングカード３０の端部を抜け止め片２７，２７の下方に係入し、クリーニングカード３０の係入孔３１ａ，３１ｂ，３１ｃおよび係入孔３２ａ，３２ｂ，３２ｃのうち係入孔３１ａ，３１ａを突起２６，２６に係入することにより、クリーニングカード３０をホルダー２０で保持する。
【００１８】
この状態で、ホルダー２０を手で把持し、図１に示すように、クリーニングカード３０の先端をカード処理装置１の開口６からカード搬送路５内に挿入し、ホルダー２０のカード幅方向規制用係合部２４を一方の側部４ａに係合させると、他方の側部４ｂにクリーニングカード３０の側端が係合する。ホルダー２０のカード挿入方向当接部２１，２３をカード処理装置１の開口縁６ａ，６ａに当接させることにより、クリーニングカード３０の先端部が、カード搬送ベルト９の駆動ローラ７に対応した部位に対接するので、カード搬送ベルト９がクリーニングカード３０のクリーニング部によってクリーニングされる。
【００１９】
このとき、ホルダー２０のカード幅方向規制用係合部２４が側部４ａに係合し、ホルダー２０のカード挿入方向当接部２１，２３がカード処理装置１の開口縁６ａ，６ａに当接している。したがって、クリーニングカード３０によるクリーニング中、クリーンニングカード３０が移動したり、位置ずれを起こしたりすることがないので、クリーニングが確実に行われる。また、クリーニングカード３０をカード処理装置１の開口６からカード搬送路５内に挿入するときに、クリーニングカード３０よりも剛性の高いホルダー２０を手で把持して行えるので、クリーニングカード３０をカード搬送路５内に挿入しやすくなり、操作性および作業性が向上する。
【００２０】
クリーニングカード３０のクリーニング部に汚れがある程度付着したら、ホルダー２０を把持しクリーニングカード３０を図中矢印Ａ方向と反対方向に移動させ、カード搬送路５から取り出す。ホルダー２０の挿入孔２８の下方から指を挿入し、クリーニングカード３０を上方に押し上げることにより、突起２６，２６から係入孔３１ａ，３１ａを取り外し、隣接する別の係入孔３１ｂ，３１ｂを突起３５，３５に係入し、再び、クリーニングカード３０をホルダー２０に保持させる。クリーニングカード３０をカード処理装置１のカード搬送路５内に挿入し、カード挿入方向当接部２１，２３を開口縁６ａ，６ａに当接させる。
【００２１】
このように、クリーニングカード３０のクリーニング部のクリーニングする部位を変えることにより、クリーニング部を全体にわたって順次活用することができるため、クリーニングカード３０の耐用回数が増加する。ここで、クリーニングカード３０の係入孔３１ｃ，３１ｃを突起２６，２６に係入させたときには、クリーニングカード３０の先端が、図中ｌ（便宜上ハッチングで示した部位）の長さだけ前進した状態となるが、この状態においてクリーニングカード３０の先端が磁気ヘッド１２に接触しないように構成されている。
【００２２】
クリーニングカード３０の一端側のクリーニング部に汚れがある程度付着したら、クリーニングカード３０の前後方向を反転させ、ホルダー２０の突起２６に係入孔３２ａ，３２ｂ，３２ｃのいずれかを係入させる。このようにクリーニングカード３０の両端のクリーニング部を活用することができるので、クリーニングカード３０の耐用回数がより増加する。
【００２３】
また、クリーニングカード３０の裏面にもクリーニング部が設けられているので、表面側のクリーニング部に汚れがある程度付着したら、クリーニングカード３０の表裏を反転させる。そして、ホルダー２０の突起２６に係入孔３１ａ，３１ｂ，３１ｃまたは係入孔３２ａ，３２ｂ，３２ｃのいずれかを係入させることにより、裏面側のクリーニング部も全体にわたって順次活用することができるため、クリーニングカード３０の耐用回数がさらに増加する。
【００２４】
本実施の形態においては、磁気カードを処理するカード処理装置１としたが、これに限定されず、カードを搬送する搬送ベルトを備えた各種カード処理装置に適用できる。また、ホルダー２０にカード幅方向規制用係合部２４を１個だけ設けたが、カード処理装置１の両側部４ａ，４ｂに係合するように、一対設けてもよい。
【００２５】
【発明の効果】
以上説明したように、請求項１に係る発明によれば、作業性および操作性が向上するとともに、クリーニングが確実に行われる。
【００２６】
また、請求項２に係る発明によれば、耐用回数を伸ばすことができる。
【図面の簡単な説明】
【図１】  本発明に係るカード搬送ベルト用クリーナを使用している状態を示す平面図である。
【図２】  本発明に係るカード搬送ベルト用クリーナを使用している状態を示す側面図である。
【図３】  同図（ａ）は本発明に係るカード搬送ベルト用クリーナにおけるホルダーの平面図、同図（ｂ）は同図（ａ）における III（ｂ）-III（ｂ）線断面図、同図（ｃ）は同図（ａ）におけるIII（ｃ）-III （ｃ）線断面図である。
【図４】  本発明に係るカード搬送ベルト用クリーナにおけるクリーニングカードの平面図である。
【符号の説明】
１…カード処理装置、５…カード搬送路、６ａ…開口縁、９…カード搬送ベルト、１５…カード搬送ベルト用クリーナ、２０…ホルダー、２１，２３…カード挿入方向規制用当接部、２４…カード幅方向規制用係合部、２６…突起、２７…抜け止め片、３０…クリーニングカード、３１ａ，３１ｂ，３１ｃ，３２ａ，３２ｂ，３２ｃ…係入孔。
【図１】
0003736255.tif 000002
【図２】
0003736255.tif 000003
【図３】
0003736255.tif 000004
【図４】
0003736255.tif 000005